(57)【要約】      （修正有）【課題】インク吸蔵部材に対しインクを容易に短時間で補充することができ、かつ、その補充作業をするときに手や衣服が汚れにくい浸透印を提供する。【解決手段】印面部材の裏側にインク吸蔵部材が積層されて成る印字体を保持可能な印字体収容筒部がケースの前半部に設けられるとともに、内部スペースが印字体収容筒部の内部スペースと開通し且つその後端にインク補充口が開設された取付筒部がケースの後半部に設けられて、そのケースの取付筒部が筆記具等の軸部材に接続されたことを特徴とする。【選択図】        図２
2004188915.tif 000002
【特許請求の範囲】
【請求項１】
印面部材の裏側にインク吸蔵部材が積層されて成る印字体を保持可能な印字体収容筒部がケースの前半部に設けられるとともに、内部スペースが印字体収容筒部の内部スペースと開通し且つその後端にインク補充口が開設された取付筒部がケースの後半部に設けられて、そのケースの取付筒部が筆記具等の軸部材に接続されたことを特徴とする浸透印。
【請求項２】
取付筒部の内部スペースと外部とを開通させる通気溝が取付筒部又は／及び軸部材の側壁部に形成された請求項１記載の浸透印。
【請求項３】
軸部材にケースのインク補充口の後方を覆う仕切が設けられて、その仕切がインク補充口から落下するインクの受皿とされた請求項１又は２記載の浸透印。
【請求項４】
印字体収容筒部の内面部に、印字体の側面部が食い込むか又は印字体の側面部に食い込んで、その印字体の回転を阻止する凹部又は凸部が形成された請求項１、２又は３記載の浸透印。
【請求項５】
軸部材に軸方向の縦溝部と周方向の横溝部が連続的に設けられ、又、ケースの取付筒部に係合突起が設けられて、その係合突起が縦溝部を通って横溝部に係合することによりケースが軸部材にロックされるように構成された請求項１、２、３又は４記載の浸透印。
【請求項６】
印面部材の裏側にインク吸蔵部材が積層されて成る印字体を保持可能で、その印字体の後方にインク補充口が開設された前部ケースと、その前部ケースに着脱自在な後部ケースとが備えられて、その後部ケースが筆記具等の軸部材に接続されたことを特徴とする浸透印。
【請求項７】
前部ケースのインク補充口と外部とを開通させる通気溝が前部ケース又は／及び後部ケースの側壁部に形成された請求項６記載の浸透印。
【請求項８】
後部ケースに中仕切が設けられ、その中仕切が前部ケースのインク補充口の後方を覆うように配されて、その中仕切がインク補充口から落下するインクの受皿とされた請求項６又は７記載の浸透印。
【請求項９】
前部ケースの印字体保持部の内面部に、印字体の側面部が食い込むか又は印字体の側面部に食い込んで、その印字体の回転を阻止する凹部又は凸部が形成された請求項６、７又は８記載の浸透印。
【請求項１０】
後部ケースにおける前部ケースに対する嵌合部に軸方向の縦溝部と周方向の横溝部が連続的に設けられ、又、前部ケースにおける後部ケースに対する嵌合部に係合突起が設けられて、前部ケースの係合突起が後部ケースの縦溝部を通って横溝部に係合することにより前部ケースが後部ケースにロックされるように構成された請求項６、７、８又は９記載の浸透印。
【発明の詳細な説明】
【０００１】
【発明の属する技術分野】
本発明は筆記具等の軸部材に取り付けられた浸透印に関する。
【０００２】
【従来の技術】
筆記具等の軸部材に取り付けられた浸透印は、印影が薄くなったときにインクを補充する必要がある。そして、従来、インクを補充する場合、先の尖った補充瓶や、補充インクカートリッジなどを使用して、印面側からインクを垂らして補充していた（例えば、特許文献１参照）。しかしながら、このようなインク補充方法は、インク吸蔵部材にインクが満たされるまでに時間がかかりすぎるという不満があった。また、印面からインクが周囲に零れやすくて、手や衣服が汚れる虞があり、補充作業がやりにくいという不満もあった。
【０００３】
これに対し、インク吸蔵体に対しカートリッジインク吸蔵体を用いてインクを補充可能としたものが存在する（例えば、特許文献２参照）。しかしながら、カートリッジインク吸蔵体を用いることにより軸方向に長くなるので、筆記具等の軸部材に取り付ける場合にスペース上の制約がある。また、カートリッジインク吸蔵体が空になった場合に、そのカートリッジインク吸蔵体を交換するためにカートリッジホルダーから取り出す必要があるが、そのときに、カートリッジインク吸蔵体に指が触れて残存するインクによって指が汚れるという問題もある。
【０００４】
【特許文献１】
実開平５−１６３４９号公報
【特許文献２】
特開平８−１１４１０号公報
【０００５】
【発明が解決しようとする課題】
本発明は、インク吸蔵部材に対しインクを容易に短時間で補充することができ、かつ、その補充作業をするときに手や衣服が汚れにくい浸透印の提供を課題とする。
【０００６】
【課題を解決するための手段】
上記課題を解決するために、本発明の浸透印は、印面部材の裏側にインク吸蔵部材が積層されて成る印字体を保持可能な印字体収容筒部がケースの前半部に設けられるとともに、内部スペースが印字体収容筒部の内部スペースと開通し且つその後端にインク補充口が開設された取付筒部がケースの後半部に設けられて、そのケースの取付筒部が筆記具等の軸部材に接続されたことを特徴とする構成にしたものである。
【０００７】
また、上記の本発明の浸透印は、取付筒部の内部スペースと外部とを開通させる通気溝が取付筒部又は／及び軸部材の側壁部に形成された構成にすることができる。
【０００８】
また、上記の本発明の浸透印は、軸部材にケースのインク補充口の後方を覆う仕切が設けられて、その仕切がインク補充口から落下するインクの受皿とされた構成にすることができる。
【０００９】
また、上記の本発明の浸透印は、印字体収容筒部の内面部に、印字体の側面部が食い込むか又は印字体の側面部に食い込んで、その印字体の回転を阻止する凹部又は凸部が形成された構成にすることができる。
【００１０】
また、上記の本発明の浸透印は、軸部材に軸方向の縦溝部と周方向の横溝部が連続的に設けられ、又、ケースの取付筒部に係合突起が設けられて、その係合突起が縦溝部を通って横溝部に係合することによりケースが軸部材にロックされるように構成することができる。
【００１１】
また、同じく上記の課題を解決するために、本発明の浸透印は、印面部材の裏側にインク吸蔵部材が積層されて成る印字体を保持可能で、その印字体の後方にインク補充口が開設された前部ケースと、その前部ケースに着脱自在な後部ケースとが備えられて、その後部ケースが筆記具等の軸部材に接続されたことを特徴とする構成にすることができる。
【００１２】
また、上記の本発明の浸透印は、前部ケースのインク補充口と外部とを開通させる通気溝が前部ケース又は／及び後部ケースの側壁部に形成された構成にすることができる。
【００１３】
また、上記の本発明の浸透印は、後部ケースに中仕切が設けられ、その中仕切が前部ケースのインク補充口の後方を覆うように配されて、その中仕切がインク補充口から落下するインクの受皿とされた構成にすることができる。
【００１４】
また、上記の本発明の浸透印は、前部ケースの印字体保持部の内面部に、印字体の側面部が食い込むか又は印字体の側面部に食い込んで、その印字体の回転を阻止する凹部又は凸部が形成された構成にすることができる。
【００１５】
また、上記の本発明の浸透印は、後部ケースにおける前部ケースに対する嵌合部に軸方向の縦溝部と周方向の横溝部が連続的に設けられ、又、前部ケースにおける後部ケースに対する嵌合部に係合突起が設けられて、前部ケースの係合突起が後部ケースの縦溝部を通って横溝部に係合することにより前部ケースが後部ケースにロックされるように構成することができる。
【００１６】
【発明の実施の形態】
以下、図を用いて本発明の実施の形態について説明する。まず、図１ないし図４に示した実施形態について説明する。この浸透印は、図１に示すように、印字体１と、ケース５と、軸部材６とを備えている。なお、この他に、印字体押えリング４やキャップ７（図２参照）などを備えることも可能である。
【００１７】
印字体１は、印面部材２の裏側（後側）にインク吸蔵部材３を積層して２層構造にすることができる。なお、他の部材も積層して多層構造にすることも可能である。
【００１８】
印面部材２は連続気孔を有する多孔質弾性体で、シリコン、ＮＢＲ、ＥＢＲ等の素材を用いて成形することができる。インク吸蔵部材３はＰＶＦ樹脂やスポンジ等の連続気孔を有する多孔質弾性体で形成されている。インク吸蔵部材３の気孔は印面部材２の気孔より目が粗くなっており、インク吸蔵部材３に蓄えられたインクは毛細管作用により印面部材２に移行することができる。
【００１９】
ケース５は、印字体収容筒部８を前半部に有するとともに、軸部材６に対する取付筒部９を後半部に有している。印字体収容筒部８と取付筒部９は内部が開通していて、取付筒部９の後端は開口してインク補充口１０となっている（図２参照）。なお、印字体１はケース５の内面段部１１（図２参照）に載置している。
【００２０】
図２に示すように、ケース５の印字体収容筒部８に保持された印字体１の外側から印字体押えリング４を被せて、その印字体押えリング４を印字体収容筒部８の外周部に嵌めると、印字体１は印字体押えリング４により印字体収容筒部８から抜け止めされる。なお、印字体１の印面１２は印字体押えリング４の前面開口から露出する。
【００２１】
ケース５の印字体収容筒部８の内面部には印字体１の側面部が接触するが、この内面部に縦向き溝状の凹部１３を周方向の複数箇所に内歯車状に設けることができる。印字体収容筒部８に印字体１を収納すると、その印字体１の側面部が凹部１３に食い込んだ状態となって、印字体１の回転が阻止される。
【００２２】
また、図３に示すように、印字体収容筒部８の内面部に、逆に印字体１の側面部に食い込む縦向きリブ状の凸部１４を周方向の複数箇所に設けても同一の効果が得られる。なお、凹部１３や凸部１４は必ずしも複数箇所に設ける必要はなく、１箇所に設けるだけでも効果を得ることは可能である。従来の浸透印では印字体の回り止め対策が不十分で、捺印時に印面が紙面に対し片当たりすると、印字体が回転して印影の向きが一定しないという問題があったが、この凹部１３や凸部１４を設けることによってこの問題も解決することができる。
【００２３】
ケース５は、その後半部の取付筒部９を軸部材６に挿入して接続している。この状態で取付筒部９の内部スペースが密閉されてしまうと、温度上昇等により内部スペースの空気が膨張して圧力が高くなり、内外の気圧差が生じることになる。このような気圧差が生じると、インク流出量がばらついて、捺印の印影に濃淡が現れて不鮮明になり、又、捺印寿命も短くなるという弊害がある。
【００２４】
この問題を解決するために、ケース５の取付筒部９の内部スペースと外部とを開通させる通気溝１５を設けることができる。この通気溝１５は、取付筒部９又は／及び軸部材６の側壁部に形成することができる。。なお、図では、取付筒部９の側壁部に通気溝１５を形成しているが、軸部材６の側壁部に設けることも可能であり、両方に設けることも可能である。
【００２５】
ケース５の取付筒部９を筆記具等の軸部材６に接続した状態で長期間使用して、印字体１にインク切れが生じたときは、印字体１のインク吸蔵部材３にインクを補充する必要がある。そのインク補充は以下の手順で行なう。
【００２６】
まず、ケース５の取付筒部９を筆記具等の軸部材６から抜き取る。次に、ケース５のインク補充口１０を上向きにする。そして、そこにインク補充瓶などからインクを滴下する。滴下したインクは印面部材２を通らずに、直にインク吸蔵部材３に吸収される。したがって、インク補充時間を短縮することができる。
【００２７】
ところで、ケース５を軸部材６に着脱自在としたことにより、ケース５が意に反して軸部材６から外れてしまう虞がある。これを防ぐためには、ケース５を軸部材６に対しロック可能とすることが好ましい。
【００２８】
このロック機構として、軸部材６に、軸方向の縦溝部１６と周方向の横溝部１７を連続的にＬ字形に設けるとともに、ケース５の嵌合筒部９に係合突起１８を設けることができる。なお、縦溝部１６の上端は軸部材６の上端縁に開口させる。
【００２９】
そして、ケース５を軸部材６に接続する際に、まず、係合突起１８を縦溝部１６に嵌入させた状態でケース５の嵌合筒部９を軸部材６に挿入して、そのままケース５を後方へ移動させる。このとき、係合突起１８は縦溝部１６を後方へ移動することになる。そして、係合突起１８が縦溝部１６の突き当たりに到達した状態で軸部材６に対しケース５を回転して係合突起１８を横溝部１７に嵌入させる。そして、ケース５をさらに回転することによって横溝部１７の奥まで移動させる。これにより係合突起１８が横溝部１７に係合してロックされた状態となるので、ケース５が軸部材６から意に反して抜けなくなる。そして、ケース５を軸部材６から外すには、ケース５を軸部材６に対し逆方向へ回転させてから、ケース５を軸方向へ抜き取ればよい。
【００３０】
また、嵌合筒部９の後端は開口してインク補充口１０となっているので、印面１２を上向きとした場合に、印字体１のインク吸蔵部材３からインクが軸部材６の内部へ落下する虞がある。
【００３１】
そこで、この問題を解決するために、図４に示すように、軸部材６の内部に仕切１９を設けることができる。この仕切１９はケース５のインク補充口１０を覆うように配置させている。印字体１のインクがインク補充口１０から落下すると、そのインクはこの仕切１９によって受け止められ、軸部材６の内部への落下が防止される。すなわち、仕切１９をインク補充口１０から落下するインクの受皿とすることができる。
【００３２】
次に、図５ないし図７に示した実施形態について説明する。この浸透印は、図５に示すように、印字体１と、前部ケース２０と、後部ケース２１と、軸部材６とを備えている。なお、この他に、印字体押えリング４や、キャップ７（図６参照）などを備えることも可能である。
【００３３】
印字体１の構造、及び、印字体１を構成する印面部材２と吸蔵部材３の素材、特性、構造等は上記の実施形態で説明したものと同一なので、その説明は省略する。
【００３４】
前部ケース２０は、印字体収容筒部２２を前半部に有するとともに、後部ケース２１に対する嵌合筒部２３を後半部に有している。印字体収容筒部２２と嵌合筒部２３は内部が開通していて、嵌合筒部２３の後端は開口してインク補充口２４となっている（図６参照）。なお、印字体１は前部ケース２０の内面段部２５（図６参照）に載置している。
【００３５】
図６に示すように、前部ケース２０の印字体収容筒部２２に保持された印字体１の外側から印字体押えリング４を被せて、その印字体押えリング４を印字体収容筒部２２の外周部に嵌めると、印字体１は印字体押えリング４により印字体収容筒部２２から抜け止めされる。なお、印字体１の印面１２は印字体押えリング４の前面開口から露出する。
【００３６】
前部ケース２０の印字体収容筒部２２の内面部には印字体１の側面部が接触するが、この内面部に縦向き溝状の凹部２６を周方向の複数箇所に内歯車状に設けることができる。印字体収容筒部２２に印字体１を収納すると、その印字体１の側面部が凹部２６に食い込んだ状態となって、印字体１の回転が阻止される。
【００３７】
また、図７に示すように、印字体収容筒部２２の内面部に、逆に印字体１の側面部に食い込む縦向きリブ状の凸部２７を周方向の複数箇所に設けても同一の効果が得られる。なお、凹部２６や凸部２７は必ずしも複数箇所に設ける必要はなく、１箇所に設けるだけでも効果を得ることは可能である。従来の浸透印では印字体の回り止め対策が不十分で、捺印時に印面が紙面に対し片当たりすると、印字体が回転して印影の向きが一定しないという問題があったが、この凹部２６や凸部２７を設けることによってこの問題も解決することができる。
【００３８】
後部ケース２１は、前半部を前部ケース２に対する嵌合筒部２８となし、後半部を筆記具等の軸部材６に対する取付筒部２９としている。
【００３９】
図６に示すように、後部ケース２１の内部には、ほぼ中高位置に中仕切３０を設けている。後部ケース２１を前部ケース２０に嵌着すると、中仕切３０は前部ケース２０のインク補充口２４の後方を覆うように位置する。そして、印面１２を上向きとしたときに、印字体１のインクがインク補充口２４から落下すると、そのインクはこの中仕切３０によって受け止められ、外部への漏出が防止される。すなわち、中仕切３０をインク補充口２４から落下するインクの受皿とすることができる。
【００４０】
後部ケース２１の嵌合筒部２８に、前部ケース２０の嵌合筒部２３を嵌着したときに、それらの内部空間が密閉されてしまうと、温度上昇等により内部空間の空気が膨張して圧力が高くなり、内外の気圧差が生じることになる。このような気圧差が生じると、インク流出量がばらついて、捺印の印影に濃淡が現れて不鮮明になり、又、捺印寿命も短くなるという弊害がある。
【００４１】
そこで、このような問題を解決するために、前部ケース２０のインク補充口２４と外部とを開通させる通気溝３１を設けることができる。この通気溝３１は、前部ケース２０又は／及び後部ケース２１の側壁部に形成することができる。なお、図示した実施例では、前部ケース２０における嵌合筒部２３の側壁部に通気溝３１を形成しているが、後部ケース２１における嵌合筒部２８２の側壁部に設けることも可能であり、両方に設けることも可能である。
【００４２】
後部ケース２１の取付筒部２９を筆記具等の軸部材６に接続した状態で長期間使用して、印字体１にインク切れが生じたときは、印字体１のインク吸蔵部材３にインクを補充する必要がある。このインク補充は以下の手順で行なう。
【００４３】
まず、後部ケース２１の取付筒部２９を筆記具等の軸部材６から抜き取る。次に、前部ケース２０を後部ケース２１から外して、前部ケース２０のインク補充口２４を上向きにする。そして、そこにインク補充瓶などからインクを滴下する。滴下したインクは印面部材２を通らずに、直にインク吸蔵部材３に吸収される。したがって、インク補充時間を短縮することができる。
【００４４】
なお、後部ケース２１の取付筒部２９を筆記具等の軸部材６から抜き取らずに接続しておき、前部ケース２０を後部ケース２１から外してインクを補充することも可能である。
【００４５】
ところで、前部ケース２０を後部ケース２１に対し着脱自在としたことにより、前部ケース２０が意に反して後部ケース２１から外れてしまう虞がある。これを防ぐために、前部ケース２０を後部ケース２１に対しロック可能とすることが好ましい。
【００４６】
このロック機構として、後部ケース２１の嵌合筒部２８に、軸方向の縦溝部３２と周方向の横溝部３３を連続的にＬ字形に設けるとともに、前部ケース２０の嵌合筒部２３に係合突起３４を設けることができる。なお、縦溝部３２の前端は後部ケース２１の前端縁に開口させる。そして、前部ケース２０を後部ケース２１に嵌着する際に、まず、係合突起３４を縦溝部３２に嵌入させた状態で前部ケース２０の嵌合筒部２３を後部ケース２１の嵌合筒部２８に挿入して、そのまま前部ケース２０を後方へ移動させる。このとき、係合突起３４も縦溝部３２を後方へ移動することになる。そして、係合突起３４が縦溝部３２の突き当たりに到達した状態で後部ケース２１に対し前部ケース２０を回転して係合突起３４を横溝部３３に嵌入させる。そして、前部ケース２０をさらに回転することによって横溝部３３の奥まで移動させる。これにより係合突起３４が横溝部３３に係合してロックされた状態となるので、前部ケース２０が後部ケース２１ら意に反して抜けなくなる。そして、前部ケース２０を後部ケース２１から外すには、前部ケース２０を後部ケース２１に対し逆方向へ回転させてから、前部ケース２０を前方へ抜き取ればよい。
【００４７】
なお、図示した実施形態では、図２及び図６に示すように、キャップを筆記具等の軸部材６に着脱自在としているが、このキャップ７を、ケース５、前部ケース２０、又は後部ケース２１に対し着脱自在とすることも可能である。
【００４８】
【発明の効果】
請求項１記載の本発明の浸透印は、ケースを軸部材から抜き取って、インク補充口からインク吸蔵部材に対し直にインクを補充することができるので、インク補充を短時間に容易に行なうことができ、かつ、その補充作業をするときに手や衣服が汚れにくいという効果がある。
また、請求項２記載の本発明の浸透印は、ケースの内部スペースと外部とを開通させる通気溝が設けられたことにより、内外の気圧差が解消するので、インク流出量が安定して、捺印の印影に濃淡がなくなり印影が鮮明になる。また、捺印寿命も長くなるというメリットがある。
また、請求項３記載の本発明の浸透印は、軸部材に設けられた仕切がインク補充口から落下するインクの受皿とされたので、インクが軸部材の内部に落下せず、軸部材の内部機構を汚さないという効果がある。
また、請求項４記載の本発明の浸透印は、ケースの印字体収容筒部の内面部に形成された凹部又は凸部が印字体の回転を防止して、印影の向きを一定に保つことができるという効果がある。
また、請求項５記載の本発明の浸透印は、軸部材にケースを接続した状態で両者をロックできるので、ケースが意に反して軸部材から外れるのを防止することができる。
また、請求項６記載の本発明の浸透印は、前部ケースを後部ケース又は軸部材から抜き取って、インク補充口からインク吸蔵部材に対し直にインクを補充することができるので、インク補充を短時間に容易に行なうことができ、かつ、その補充作業をするときに手や衣服が汚れにくいという効果がある。
また、請求項７記載の本発明の浸透印は、前部ケースの内部スペースと外部とを開通させる通気溝が設けられたことにより、内外の気圧差が解消するので、インク流出量が安定して、捺印の印影に濃淡がなくなり印影が鮮明になる。また、捺印寿命も長くなるというメリットがある。
また、請求項８記載の本発明の浸透印は、後部ケースに設けられた中仕切がインク補充口から落下するインクの受皿とされたので、インクの外部への漏出が防止される。
また、請求項９記載の本発明の浸透印は、前部ケースの印字体収容筒部の内面部に形成された凹部又は凸部が印字体の回転を防止して、印影の向きを一定に保つことができるという効果がある。
また、請求項１０記載の本発明の浸透印は、後部ケースに前部ケースを嵌着した状態で両者をロックできるので、前部ケースが意に反して後部ケースから外れるのを防止することができる。
【図面の簡単な説明】
【図１】分解斜視図である。
【図２】断面図である。
【図３】ケースの斜視図である。
【図４】断面図である。
【図５】分解斜視図である。
【図６】断面図である。
【図７】前部ケースの斜視図である。
【符号の説明】
１  印字体
２  印面部材
３  インク吸蔵部材
４  印字体押えリング
５  ケース
６  軸部材
７  キャップ
８  印字体収容筒部
９  取付筒部
１０  インク補充口
１１  内面段部
１２  印面
１３  凹部
１４  凸部
１５  通気溝
１６  縦溝部
１７  横溝部
１８  係合突起
１９  仕切
２０  前部ケース
２１  後部ケース
２２  印字体収容筒部
２３  嵌合筒部
２４  インク補充口
２５  内面段部
２６  凹部
２７  凸部
２８  嵌合筒部
２９  取付筒部
３０  中仕切
３１  通気溝
３２  縦溝部
３３  横溝部
３４  係合突起
【図１】
2004188915.tif 000003
【図２】
2004188915.tif 000004
【図３】
2004188915.tif 000005
【図４】
2004188915.tif 000006
【図５】
2004188915.tif 000007
【図６】
2004188915.tif 000008
【図７】
2004188915.tif 000009